(57)【要約】【課題】ＰＯＳシステムの利用開始時（開店時）や利用終了時（閉店時）等の動作処理項目の動作指定を格別な処理を行うことなく簡単に且つ迅速に行えるＰＯＳシステムの動作処理項目設定方式を提供する。【解決手段】ＰＯＳシステムの動作処理項目及びその動作／非動作がテーブル形式で設定されて格納されているチェックテーブルをもち、このチェックテーブルに格納されている動作処理項目の動作／非動作を入力手段により指定し、動作が指定された動作処理項目を動作させる。上記動作処理項目は店舗の開店時と閉店時の動作処理項目とされ、例えば開店時の動作処理項目はキャッシュドロワ釣銭登録処理であり、閉店時の動作処理項目はキャッシュドロワ内現金有高登録処理、未決済伝票のクローズ処理または在庫管理品目の現在庫入力処理である。【選択図】      図１
2004252560.tif 000002
【特許請求の範囲】
【請求項１】
ＰＯＳシステムの動作処理項目及びその動作処理の要否を示す項目がテーブル形式で設定され、格納されるチェックテーブルを備え、
前記チェックテーブルに格納されている動作処理項目の動作処理の要否を入力手段により指定し、動作が指定された動作処理項目を動作させることを特徴とするＰＯＳシステムの動作処理項目設定方式。
【請求項２】
ＰＯＳシステムの動作処理項目及びその動作処理の要否を示す項目がテーブル形式で設定されるとともに、動作処理項目及びその動作処理項目が処理済であるか否かを示す項目がテーブル形式で設定され、格納されるチェックテーブルを備え、
前記チェックテーブルに格納されている動作処理項目の動作処理の要否を入力手段により指定し、動作が指定された動作処理項目を動作させることを特徴とするＰＯＳシステムの動作処理項目設定方式。
【請求項３】
前記ＰＯＳシステムは店舗に適用され、前記動作処理項目は開店時と閉店時の動作処理項目であることを特徴とする請求項１または２に記載のＰＯＳシステムの動作処理項目設定方式。
【請求項４】
前記開店時の動作処理項目はキャッシュドロワ釣銭登録処理であり、閉店時の動作処理項目はキャッシュドロワ内現金有高登録処理、未決済伝票のクローズ処理または在庫管理品目の現在庫入力処理であることを特徴とする請求項１乃至３のいずれかに記載のＰＯＳシステムの動作処理項目設定方式。
【請求項５】
前記チェックテーブルで設定されている動作処理項目に基づいて、設定動作処理項目に対応する動作がなされないときにはエラー表示をすることを特徴とする請求項１乃至４のいずれかに記載のＰＯＳシステムの動作処理項目設定方式。
【請求項６】
前記入力手段は、タッチパネルであり、前記指定は所定のキーをタッチすることにより行われることを特徴とする請求項１乃至５のいずれかに記載のＰＯＳシステムの動作処理項目設定方式。
【発明の詳細な説明】
【発明の属する技術分野】
【０００１】
本発明は、ＰＯＳシステムの動作処理項目設定方式に関し、例えば、ＰＯＳシステムを適用した店舗での開店や閉店時の操作性を改善したＰＯＳシステムの動作処理項目設定方式に関する。
【０００２】
【従来の技術】
ＰＯＳシステムを適用したファーストフード店やコンビニエンスストア等においては、ＰＯＳシステムの利用開始時（開店時）や利用終了時（閉店時）に各種の処理を行う必要がある。例えば、開店時にはキャッシュドロワ釣銭登録処理を実行しなければならないことが多い。また、閉店時には、キャッシュドロワ内現金有高登録処理、未決済伝票のクローズ処理及び在庫管理品目の現在庫入力処理を実行する場合が多い。
【０００３】
従来のＰＯＳシステム利用店舗では、かかる処理を実行するために、当該ＰＯＳシステムのソフトウエア作成者側が予め店舗の要望を聞いておき、その要望に沿ったプログラムを作成してシステムを納入したり、納入後にプログラム変更したりすることで対応していた。
【０００４】
【発明が解決しようとする課題】
しかしながら、ＰＯＳシステムの利用開始時（開店時）や利用終了時（閉店時）に行うべき処理は、店舗の業種や形態によって種々異なるばかりでなく、必要な処理の追加や削除等もあるため、その都度、システム構築業者に対応する処理変更や追加のためのプログラム改変を依頼しなければならず、迅速な対応が不可能であるし、コスト面での問題もある。すなわち、毎日の開店時や閉店時には、店舗により（店舗形態や業種により）行う処理は様々な処理があり、処理の中には店舗マネージャや従業員が手作業で行う処理も多数含まれることも多く、作業性、操作性の問題がある。また、ＰＯＳシステムのプログラムでは、その店舗に合致した処理を行わせるように当該店舗に合致した処理ルーチンを個別に作成しており、迅速性、コストの問題が生ずる。
【０００５】
例えば、開店時に行う処理が２通りあり、閉店時に行う処理が８通りあるとすると、合計１６通りもの組み合わせの処理形態があることになり、多種多様な店舗形態及びその頻繁な変更等に伴い、その中の一つだけ変更する場合でも、その都度、プログラム変更を専門業者に依頼しなければならず迅速性、コスト面での問題が生ずることは明らかである。以上の問題は開店時や閉店時における処理に限定されず、任意の処理についても言えることである。
【０００６】
本発明は、上述の事情に鑑みて為されたもので、本発明の目的は、ＰＯＳシステムの利用開始時（開店時）や利用終了時（閉店時）等の動作処理項目の動作指定を、格別専門的な処理を行うことなく簡単に且つ迅速に行えるＰＯＳシステムの動作処理項目設定方式を提供することにある。
【０００７】
【課題を解決するための手段】
前述の課題を解決するため、本発明によるＰＯＳシステムの動作処理項目設定方式は、次のような特徴的な構成を採用している。
【０００８】
（１）ＰＯＳシステムの動作処理項目及びその動作処理の要否を示す項目がテーブル形式で設定され、格納されるチェックテーブルを備え、
前記チェックテーブルに格納されている動作処理項目の動作処理の要否を入力手段により指定し、動作が指定された動作処理項目を動作させるＰＯＳシステムの動作処理項目設定方式。
【０００９】
（２）ＰＯＳシステムの動作処理項目及びその動作処理の要否を示す項目がテーブル形式で設定されるとともに、動作処理項目及びその動作処理項目が処理済であるか否かを示す項目がテーブル形式で設定され、格納されるチェックテーブルを備え、
前記チェックテーブルに格納されている動作処理項目の動作処理の要否を入力手段により指定し、動作が指定された動作処理項目を動作させるＰＯＳシステムの動作処理項目設定方式。
【００１０】
（３）前記ＰＯＳシステムは店舗に適用され、前記動作処理項目は開店時と閉店時の動作処理項目である上記（１）または（２）のＰＯＳシステムの動作処理項目設定方式。
【００１１】
（４）前記開店時の動作処理項目はキャッシュドロワ釣銭登録処理であり、閉店時の動作処理項目はキャッシュドロワ内現金有高登録処理、未決済伝票のクローズ処理または在庫管理品目の現在庫入力処理である上記（１）乃至（３）のいずれかのＰＯＳシステムの動作処理項目設定方式。
【００１２】
（５）前記チェックテーブルで設定されている動作処理項目に基づいて、設定動作処理項目に対応する動作がなされないときにはエラー表示をする上記（１）乃至（４）のいずれかのＰＯＳシステムの動作処理項目設定方式。
【００１３】
（６）前記入力手段は、タッチパネルであり、前記指定は所定のキーをタッチすることにより行われる上記（１）乃至（５）いずれかのＰＯＳシステムの動作処理項目設定方式。
【００１４】
【発明の実施の形態】
以下、本発明によるＰＯＳシステムの動作処理項目設定方式の好適実施形態例を添付図を参照して詳細に説明する。
【００１５】
本発明では、ＰＯＳシステム内にメモリとしてのチェックテーブルを用意しておき、このチェックテーブルに当該店舗が開店時や閉店時に行う可能性のある動作処理項目を格納しておき、通常のＰＯＳシステム入力画面でチェックテーブルを表示させ、必要な動作処理項目を指定することにより簡単に設定可能とした。
【００１６】
図１は本発明の一実施形態によるＰＯＳシステムの動作処理項目設定方式における開店時や閉店時の処理の流れを示すフローチャートである。また、図２及び図３は、本実施形態において設けられるチェックテーブルの処理の必要がある項目の有無の設定画面及び処理済みか否かを示す図である。
【００１７】
図２に示すチェックテーブルにおいては、開店時のキャッシュドロワ釣銭登録処理、．．．等の実行要否（ＹＥＳ／ＮＯ）、閉店時のキャッシュドロワ内現金有高登録処理、未決済伝票のクローズ処理、在庫管理品目の現在庫入力処理、．．．等の実行要否（ＹＥＳ／ＮＯ）についての動作処理項目画面が表示され、ディスプレイがタッチパネルの場合には対応するＹＥＳ／ＮＯのいずれかの部位をタッチして指定する。ディスプレイがタッチパネルでない場合には、所定のキー操作により行う。
【００１８】
一方、図３に示すチェックテーブルは、開店時のキャッシュドロワ釣銭登録処理、．．．等が処理済か否か（ＹＥＳ／ＮＯ）、閉店時のキャッシュドロワ内現金有高登録処理、未決済伝票のクローズ処理、在庫管理品目の現在庫入力処理、．．．等が処理済みか否か（ＹＥＳ／ＮＯ）の動作処理項目画面であり、処理が必要なフラグ（ＹＥＳ）且つ処理済フラグ（ＮＯ）があれば、エラー表示を行い、誤ってＰＯＳシステムを開始（Ｏｐｅｎ）または終了（Ｃｌｏｓｅ）しないようにしている。
【００１９】
さて、図１を参照して、本発明によるＰＯＳシステムの動作処理項目設定方式の動作開始から終了までの動作処理を説明する。
【００２０】
店舗の開店に際してＰＯＳシステム動作を立ち上げると（ステップＳ１）、図２の開店時画面としてのチェックテーブル動作処理項目画面がディスプレイに表示される（ステップＳ２）。この画面上で、上述のように、開店時のキャッシュドロワ釣銭登録処理、．．．等の実行の要否（ＹＥＳ／ＮＯ）をキータッチ等の入力手段により指定し（ステップＳ３）、それ以降は、通常のＰＯＳシステムを稼動させ、運用動作させる（ステップＳ４）。
【００２１】
次に、店舗の閉店時には、図２の閉店時画面としてのチェックテーブル動作処理項目画面がディスプレイに表示される（ステップＳ５）。この画面上で、上述のように、閉店時のキャッシュドロワ内現金有高登録処理、未決済伝票のクローズ処理、在庫管理品目の現在庫入力処理、．．．等の実行の要否（ＹＥＳ／ＮＯ）のうち必要な処理をタッチキー等により指定して（ステップＳ６）、システム動作が終了する。こうして指定された動作が実行される。
【００２２】
図４には、店舗の運用の一例が示され、開店時のキャッシュドロワ釣銭登録処理を実行し（ＹＥＳ）、在庫管理はＰＯＳシステムでは行われない、つまり、閉店時のキャッシュドロワ内現金有高登録処理、未決済伝票のクローズ処理、在庫管理品目の現在庫入力処理等を実行しない（ＮＯ）ようなチェックテーブル設定が行われている。
【００２３】
また、図５には、店舗運用の他の例が示され、開店時のキャッシュドロワ釣銭登録処理を実行せず（ＮＯ）、未決済伝票がある状態での閉店は非許可で在庫管理をＰＯＳシステムでは行っている例を示している。つまり、閉店時のキャッシュドロワ内現金有高登録処理を実行せず（ＮＯ）、未決済伝票のクローズ処理及び在庫管理品目の現在庫入力処理等を実行する（ＹＥＳ）ようなチェックテーブル設定が行われている。
【００２４】
本実施形態においては、チェックテーブルの動作処理設定項目を参照して設定された必要な処理が実行されずに店舗が開店や閉店（ＰＯＳシステムの開始や終了）した場合には、それらの一覧を、図６に示すように表示させることにより、どの処理が行われずに開店、閉店ができないかをエラー表示により簡単に視認できるようになる。図６の例では、閉店処理エラーとして、（１）未決済の伝票があります。クローズ処理して下さい。（２）在庫入力が行われていません。、のように表示されている。
【００２５】
以上、本発明によりＰＯＳシステムの動作処理項目設定方式の好適実施形態例を説明したが、これは単なる例示にすぎず、特定用途に応じて種々の変形変更が可能であることは勿論である。
【００２６】
【発明の効果】
以上説明したように、本発明では、ＰＯＳシステムの立ち上げと立ち下げ時にチェックテーブル動作処理項目をディスプレイ画面上に表示させ、所望の動作処理項目の実行要否を指定、設定しているので、店舗側のユーザ（店員、マスター等の専門知識をもたない人達）による画面上での指定だけで済み、専門家によるプログラムのカスタマイズが必要なく、迅速に行え且つコスト面での改善効果は大きい。すなわち、表示画面上のチェックテーブルによりＰＯＳシステムの開店時や閉店時等の実行項目の実行要否（ＹＥＳ／ＮＯ）を設定できるので、プログラムを１本化でき、プログラム業者等の専門家による設定が不要で、迅速且つ低コスト化が実現できる。また、バージョンアップ時のようにプログラム変更やバージョン管理が容易となる。したがって、プログラムを扱う支店や代理店のサポートが容易となる。更に、チェックテーブルにより設定された必要な処理が実行されず店舗が開店や閉店（ＰＯＳシステムの開始や終了）した場合には、それらの一覧を表示させることにより、どの処理が行われずに開店、閉店ができないかをエラー表示により簡単に視認できる。
【図面の簡単な説明】
【図１】本発明の一実施形態によるＰＯＳシステムの動作処理項目設定方式における開店時や閉店時の処理の流れを示すフローチャートである。
【図２】本発明の実施形態において設けられる必要がある動作処理項目の有無の設定画面を示すチェックテーブル図である。
【図３】本発明の実施形態において処理必要がある動作処理項目の処理済みか否かを示すチェックテーブル図である。
【図４】本発明の実施形態における店舗運用の一例のチェックテーブル図である。
【図５】本発明の実施形態における店舗運用の他例のチェックテーブル図である。
【図６】本発明の実施形態における設定された必要処理が実行されずに店舗が開店や閉店した場合のエラー表示を示す図である。
【符号の説明】
【図１】
2004252560.tif 000003
【図２】
2004252560.tif 000004
【図３】
2004252560.tif 000005
【図４】
2004252560.tif 000006
【図５】
2004252560.tif 000007
【図６】
2004252560.tif 000008